(57)【要約】【課題】無瞬断伝送システムにおいて揺らぎを抑制する。【解決手段】無瞬断伝送システム１００は、送信すべきフレームにシーケンス番号を付与し、該フレームを複製してＥＡＳＴ側経路１５とＷＥＳＴ側経路１６に送信する送信側通信装置１０と、ＥＡＳＴ側経路１５とＷＥＳＴ側経路１６から受信した同一シーケンス番号を有するフレームの中から１つのフレームを選択して後段に出力する受信側通信装置１２とを備える。受信側通信装置１２は、１つの経路から先着したシーケンス（１）フレームと、他の経路から後着したシーケンス（１）フレームとの到着時間差を測定し、後着のシーケンス（１）フレームが到着してから到着時間差以上の時間が経過したときに、受信したフレームの中から１つのフレームを選択し、イーサネット網１７に出力する。【選択図】図１
2014140140.tif 000002
【特許請求の範囲】
【請求項１】
送信すべきフレームにシーケンス番号を付与し、該フレームを複製して複数の経路に送信する送信装置と、前記複数の経路から受信した同一シーケンス番号を有するフレームの中から１つのフレームを選択して後段に出力する受信装置と、を備える無瞬断伝送システムであって、
前記受信装置は、
１つの経路から先着した先頭シーケンス番号を有するフレームと、他の経路から後着した先頭シーケンス番号を有するフレームとの到着時間差を測定する測定手段と、
後着の先頭シーケンス番号を有するフレームが到着してから前記到着時間差以上の時間が経過したときに、受信した先頭シーケンス番号を有するフレームの中から１つのフレームを選択し、後段に出力する出力手段と、
を備えることを特徴とする無瞬断伝送システム。
【請求項２】
前記出力手段は、後着の先頭シーケンス番号を有するフレームが到着してから前記到着時間差のｘ倍（ｘは１以上の整数）以上の時間が経過したときに、受信した先頭シーケンス番号を有するフレームの中から１つのフレームを選択し、後段に出力することを特徴とする請求項１に記載の無瞬断伝送システム。
【請求項３】
前記測定手段は、１つの経路から先着したフレームと、該１つの経路から先着した１つ前のフレームとの第１時間差を測定するとともに、他の経路から後着したフレームと、該他の経路から後着した１つ前のフレームとの第２時間差を測定し、
前記出力手段は、フレームの出力間隔が前記第１時間差と前記第２時間差の平均値となるように、フレームを後段に出力することを特徴とする請求項１または２に記載の無瞬断伝送システム。
【請求項４】
前記出力手段は、１つの経路からあるシーケンス番号を有するフレームが先着してから前記到着時間差のｘ倍（ｘは１以上の整数）以上の時間が経過しても、他の経路から該シーケンス番号を有するフレームが後着しない場合、フレームの出力間隔が前記第１時間差となるように、フレームを後段に出力することを特徴とする請求項３に記載の無瞬断伝送システム。
【発明の詳細な説明】
【技術分野】
【０００１】
本発明は、伝送路間の切替を無瞬断で行う無瞬断伝送システムに関し、特にイーサネット（登録商標）等のフレームを伝送する無瞬断伝送システムに関する。
【背景技術】
【０００２】
近年通信業界では、ＳＤＨ（Synchronous Digital Hierarchy）／ＳＯＮＥＴ（Synchronous Optical NETwork）技術に基づく比較的高価な通信システムから、イーサネット技術に基づく比較的安価な通信システムへの切替が進みつつある。これは、大容量の基幹通信回線、いわゆるバックボーン回線についてもいえる。
【０００３】
イーサネットを利用した安価なシステムであっても通信品質は維持されるべきであり、従来、送信装置と受信装置とを複数の経路で冗長接続し、ある経路に障害が発生した場合でも中断することなく伝送を継続することのできる無瞬断伝送システムが知られている（例えば特許文献１、２参照）。
【先行技術文献】
【特許文献】
【０００４】
【特許文献１】特開２００７−２２８２８２号公報
【特許文献２】特開２０１０−２７８８４５号公報
【発明の概要】
【発明が解決しようとする課題】
【０００５】
従来の無瞬断伝送システムにおいて、送信装置は、送信すべきフレームにシーケンス番号を付与し、コピーした同じフレームを冗長化された２つの経路に出力する。ここで、２つの経路の距離が異なり、また経路上に配置される中継装置の数が異なる場合、２つの経路から受信装置に到着したフレーム間には到着時間差が生じる。そこで、受信装置は、一方の経路を通って先に到着したフレーム（以下、適宜「先着フレーム」と呼ぶ）を遅延させ、他方の経路を通って後に到着したフレーム（以下、適宜「後着フレーム」と呼ぶ）と同じ位相となるよう遅延調整を行う。そして、受信装置は、先着フレームと後着フレームから正常な１つのフレームを選択して後段の装置に出力する。無瞬断伝送システムにおいては、このような遅延調整を行うことにより、無瞬断での経路切替を実現できる。
【０００６】
しかしながら、このような無瞬断伝送システムにおいては、一方の経路においてフレームの欠落や大幅な遅延が生じて経路切替が行われる場合、大きな揺らぎが発生する可能性がある。揺らぎが大きくなると符号誤りが生じる可能性が高くなるため、通信品質が低下するおそれがある。
【０００７】
本発明はこうした状況に鑑みてなされたものであり、その目的は、揺らぎを抑制できる無瞬断伝送システムを提供することにある。
【課題を解決するための手段】
【０００８】
上記課題を解決するために、本発明のある態様の無瞬断伝送システムは、送信すべきフレームにシーケンス番号を付与し、該フレームを複製して複数の経路に送信する送信装置と、記複数の経路から受信した同一シーケンス番号を有するフレームの中から１つのフレームを選択して後段に出力する受信装置と、を備える。受信装置は、１つの経路から先着した先頭シーケンス番号を有するフレームと、他の経路から後着した先頭シーケンス番号を有するフレームとの到着時間差を測定する測定手段と、後着の先頭シーケンス番号を有するフレームが到着してから到着時間差以上の時間が経過したときに、受信した先頭シーケンス番号を有するフレームの中から１つのフレームを選択し、後段に出力する出力手段と、を備える。
【０００９】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１０】
本発明によれば、無瞬断伝送システムにおいて揺らぎを抑制できる。
【図面の簡単な説明】
【００１１】
【図１】本発明の実施形態に係る無瞬断伝送システムを示す図である。
【図２】本実施形態に係る無瞬断伝送システムで伝送されるフレームの構成を示す図である。
【図３】受信側通信装置の構成を説明するための図である。
【図４】無瞬断切替部の構成を説明するための図である。
【図５】シーケンス（１）フレームが無瞬断切替部に入力されてから出力されるまでの処理を説明するためのフローチャートである。
【図６】シーケンス（ｎ）フレーム（ｎは以上の整数）が無瞬断切替部に入力されてから出力されるまでの処理を説明するためのフローチャートである。
【図７】図７（ａ）〜（ｄ）は、従来の無瞬断伝送システムの動作の一例を示す図である。
【図８】図８（ａ）〜（ｄ）は、本実施形態に係る無瞬断伝送システムの動作の一例を示す図である。
【図９】図９（ａ）〜（ｄ）は、本実施形態に係る無瞬断伝送システムの動作の別の一例を示す図である。
【発明を実施するための形態】
【００１２】
以下、図面を参照しつつ、本発明の実施形態について説明する。
【００１３】
図１は、本発明の実施形態に係る無瞬断伝送システム１００を示す。図１に示す無瞬断伝送システム１００は、複数の通信装置がリング状に接続された伝送システムである。図１には、送信側通信装置１０から受信側通信装置１２にフレームが伝送される様子が図示されている。
【００１４】
送信側通信装置１０と受信側通信装置１２は、ＥＡＳＴ側経路１５とＷＥＳＴ側経路１６の２つの経路でつながれている。図１に示す実施形態では、ＥＡＳＴ側経路１５上には第１通信装置１４ａが位置しており、ＷＥＳＴ側経路１６上には第２通信装置１４ｂおよび第３通信装置１４ｃが位置している。
【００１５】
送信側通信装置１０は、送信すべきフレームにシーケンス番号を付与した後、フレームを複製し、同一のフレームをＥＡＳＴ側経路とＷＥＳＴ側経路の両経路に送信する。
【００１６】
送信側通信装置１０からＥＡＳＴ側経路１５に送信されたフレームは、第１通信装置１４ａを経由して受信側通信装置１２に到着する。一方、送信側通信装置１０からＷＥＳＴ側経路１６に送信されたフレームは、第２通信装置１４ｂおよび第３通信装置１４ｃを経由して受信側通信装置１２に到着する。
【００１７】
受信側通信装置１２は、ＥＡＳＴ側経路１５およびＷＥＳＴ側経路１６から到着するフレームを受信し、イーサネット（登録商標）網１７に出力する。ＥＡＳＴ側経路１５とＷＥＳＴ側経路１６は、経路長が異なり、さらに経路間でフレームを中継する通信装置の数が異なる。従って、送信側通信装置１０からＥＡＳＴ側経路１５とＷＥＳＴ側経路１６に同時に同じシーケンス番号を有するフレームが送信されたとしても、ＥＡＳＴ側経路１５を通ったフレームと、ＷＥＳＴ側経路１６を通ったフレームとでは、受信側通信装置１２に到着する時間が異なる。
【００１８】
そこで、受信側通信装置１２は、同一シーケンス番号を有するＥＡＳＴ側経路１５からのフレームとＷＥＳＴ側経路１６からのフレームの位相同期をとった後、これら２つのフレームから正常な１つのフレームを選択し、イーサネット網１７に出力する。このような無瞬断伝送システム１００によれば、ＥＡＳＴ側経路１５およびＷＥＳＴ側経路１６の一方に障害が発生した場合であっても、中断することなくフレーム伝送を継続できる。
【００１９】
図２は、本実施形態に係る無瞬断伝送システム１００で伝送されるフレームの構成を示す。本実施形態に係る無瞬断伝送システム１００は、イーサネット（登録商標）方式を採用した伝送システムであり、従って、図２はイーサネットフレームの構成を示す。
【００２０】
図３は、受信側通信装置１２の構成を説明するための図である。図３に示すように、受信側通信装置１２は、ＥＡＳＴ側カード２０と、ＷＥＳＴ側カード２２と、ＳＷカード２４と、無瞬断切替部３０とを備える。
【００２１】
ＥＡＳＴ側カード２０は、ＥＡＳＴ側経路１５からフレームを受信し、ＳＷカード２４に出力する。ＷＥＳＴ側カード２２は、ＷＥＳＴ側経路１６からフレームを受信し、ＳＷカード２４に出力する。ＳＷカード２４は、ＥＡＳＴ側カード２０、ＷＥＳＴ側カード２２から受信したフレームを無瞬断切替部３０に出力する。無瞬断切替部３０は、ＥＡＳＴ側経路１５およびＷＥＳＴ側経路１６からの２つのフレーム（同じシーケンス番号を有する）から、正常な１つのフレームを選択し、イーサネット網１７に出力する。
【００２２】
図４は、無瞬断切替部３０の構成を説明するための図である。図４に示すように、無瞬断切替部３０は、ＳＷインタフェース３１と、受信部特定部３２と、ＥＡＳＴ側処理部３３と、ＷＥＳＴ側処理部３４と、フレーム書込部３５と、フレーム読出部３６と、メモリ３７と、出力フレーム生成部３８と、ラインインタフェース３９とを備える。
【００２３】
ＳＷインタフェース３１は、ＳＷカード２４からフレームを受信し、受信部特定部３２に送る。受信部特定部３２は、フレームがＥＡＳＴ側経路１５とＷＥＳＴ側経路１６のどちらから到着したか特定する。受信部特定部３２は、ＥＡＳＴ側経路１５から到着したフレームをＥＡＳＴ側処理部３３に出力し、ＷＥＳＴ側処理部３４から到着したフレームをＷＥＳＴ側処理部３４に出力する。
【００２４】
ＥＡＳＴ側処理部３３は、シーケンス番号特定部４０を備える。ＷＥＳＴ側処理部３４は、シーケンス番号特定部４１を備える。シーケンス番号特定部４０および４１はそれぞれ、受信部特定部３２から入力されたフレームのシーケンス番号を特定する。
【００２５】
フレーム書込部３５は、タイミング管理部４２と、時間計測部４３と、情報付加部４４とを備える。タイミング管理部４２は、時間計測部４３の時間計測開始と時間計測停止のタイミングを管理する。時間計測部４３は、フレーム間の到着時間差を計測する。情報付加部４４は、計測した時間情報をフレームに付加しする。
【００２６】
フレーム読出部３６は、フレーム間隔特定部４５と、読出系特定部４６と、読出実行部４７とを備える。フレーム読出部３６は、一定間隔でメモリ３７からフレームを読み出す。フレーム間隔特定部４５は、フレームに付加された時間情報に基づいて、フレーム出力間隔を特定する。読出系特定部４６は、ＥＡＳＴ側経路１５からのフレームとＷＥＳＴ側経路１６からのフレームのどちらを出力するか特定する。読出実行部４７は、読出系特定部４６にて特定されたフレームをメモリ３７から読み出し、出力フレーム生成部３８に出力する。
【００２７】
出力フレーム生成部３８は、入力されたフレームから出力フレームを生成する。出力フレーム生成部３８では、フレーム書込部３５の情報付加部４４で付加された時間情報が廃棄される。これにより、無瞬断切替部３０に入力されたときとほぼ同じ形のフレームがラインインタフェース３９から無瞬断切替部３０に出力される。
【００２８】
図５は、シーケンス（１）フレームが無瞬断切替部３０に入力されてから出力されるまでの処理を説明するためのフローチャートである。
【００２９】
シーケンス番号特定部４０、シーケンス番号特定部４１は、先着シーケンス（１）フレームが到着したか否か判定する（Ｓ１０）。シーケンス（１）フレームとは、あるフレーム列における先頭のフレームであり、最小のシーケンス番号を有する。「先着シーケンス（１）フレーム」とは、ＥＡＳＴ側経路１５とＷＥＳＴ側経路１６の一方から先に受信側通信装置１２に到着したシーケンス（１）フレームである。一方、ＥＡＳＴ側経路１５とＷＥＳＴ側経路１６の他方から後に受信側通信装置１２に到着したシーケンス（１）フレームを「後着シーケンス（１）フレーム」と呼ぶ。先着シーケンス（１）フレームが到着していない場合、到着まで待つ（Ｓ１０のＮｏ）。
【００３０】
先着シーケンス（１）フレームが到着した場合（Ｓ１０のＹｅｓ）、フレーム書込部３５のタイミング管理部４２は、先着シーケンス(１）フレームと後着シーケンス（１）フレームの到着時間差Ｌを測定するタイマーをスタートする（Ｓ１１）。ここで、その後、フレーム書込部３５は、先着シーケンス（１）フレームの情報をメモリ３７に格納する（Ｓ１２）。
【００３１】
その後、シーケンス番号特定部４０、シーケンス番号特定部４１は、後着シーケンス（１）フレームが到着したか否か判定する（Ｓ１３）。後着シーケンス（１）フレームが到着していない場合、到着まで待つ（Ｓ１３のＮｏ）。
【００３２】
後着シーケンス（１）フレームが到着した場合（Ｓ１３のＹｅｓ）、フレーム書込部３５のタイミング管理部４２は、到着時間差Ｌを測定するタイマーをストップする（Ｓ１４）。そして、情報付加部４４は、後着シーケンス（１）フレームに、到着時間差Ｌの情報を付加する（Ｓ１５）。その後、フレーム書込部３５は、後着シーケンス（１）フレームの情報をメモリ３７に格納する（Ｓ１６）。
【００３３】
次に、フレーム読出部３６は、後着シーケンス（１）フレームが到着してから、到着時間差Ｌのｘ倍（ｘは１以上の整数）以上の時間が経過したか否か判定する（Ｓ１７）。経過していない場合（Ｓ１７のＮｏ）、Ｓ１６に戻る。
【００３４】
一方、後着シーケンス（１）フレームが到着してから、到着時間差Ｌのｘ倍以上の時間が経過した場合（Ｓ１７のＹｅｓ）、読出系特定部４６は、後着シーケンス（１）フレームを読出し系に選択する（Ｓ１８）。そして、読出実行部４７は、後着シーケンス（１）フレームのメモリ３７からの読み出しを実行し、出力フレーム生成部３８に出力する（Ｓ１９）。出力フレーム生成部３８は、出力フレームを生成し（Ｓ２０）、ラインインタフェース３９に出力する（Ｓ２１）。
【００３５】
図６は、シーケンス（ｎ）フレーム（ｎは２以上の整数）が無瞬断切替部３０に入力されてから出力されるまでの処理を説明するためのフローチャートである。
【００３６】
シーケンス番号特定部４０、シーケンス番号特定部４１は、先着シーケンス（ｎ）フレームが到着したか否か判定する（Ｓ３０）。シーケンス（ｎ）フレームとは、あるフレーム列におけるシーケンス（１）フレームより後のフレームである。「先着シーケンス（ｎ）フレーム」とは、ＥＡＳＴ側経路１５とＷＥＳＴ側経路１６の一方から先に受信側通信装置１２に到着したシーケンス（ｎ）フレームである。一方、ＥＡＳＴ側経路１５とＷＥＳＴ側経路１６の他方から後に受信側通信装置１２に到着したシーケンス（ｎ）フレームを「後着シーケンス（ｎ）フレーム」と呼ぶ。先着シーケンス（ｎ）フレームが到着していない場合、到着まで待つ（Ｓ３０のＮｏ）。
【００３７】
先着シーケンス（ｎ）フレームが到着した場合（Ｓ３０のＹｅｓ）、時間計測部４３は、先着シーケンス（ｎ）フレームの到着時間と、１つ前に到着した先着シーケンス（ｎ−１）フレームの到着時間との時間差Ｅｎ−１またはＷｎ−１を計測し、情報付加部４４は時間差Ｅｎ−１またはＷｎ−１の情報を先着シーケンス（ｎ）フレームに付加する（Ｓ３１）。フレーム書込部３５は、先着シーケンス（ｎ）フレームの情報をメモリ３７に格納する（Ｓ３２）。
【００３８】
その後、シーケンス番号特定部４０、シーケンス番号特定部４１は、後着シーケンス（ｎ）フレームが到着したか否か判定する（Ｓ３３）。
【００３９】
Ｓ３３において後着シーケンス（ｎ）フレームが到着した場合（Ｓ３３のＹｅｓ）、時間計測部４３は、後着シーケンス（ｎ）フレームの到着時間と、１つ前に到着した後着シーケンス（ｎ−１）フレームの到着時間との時間差Ｅｎ−１またはＷｎ−１を計測し、情報付加部４４は時間差Ｅｎ−１またはＷｎ−１の情報を後着シーケンス（ｎ）フレームに付加する（Ｓ３４）。フレーム書込部３５は、後着シーケンス（ｎ）フレームの情報をメモリ３７に格納する（Ｓ３５）。
【００４０】
次に、フレーム読出部３６のフレーム間隔特定部４５は、時間差Ｅｎ−１とＷｎ−１の平均値、すなわち（Ｅｎ−１＋Ｗｎ−１）／２をフレーム出力間隔と特定する（Ｓ３６）。そして、読出系特定部４６は、後着シーケンス（ｎ）フレームを読み出し系に選択する（Ｓ３７）。その後、フレーム読出部３６は、特定したフレーム出力間隔（Ｅｎ−１＋Ｗｎ−１）／２で後着シーケンス（ｎ）フレームをメモリ３７から読み出し、出力フレーム生成部３８に出力する（Ｓ４２）。出力フレーム生成部３８は、後着シーケンス（ｎ）フレームから出力フレームを生成し（Ｓ４３）、ラインインタフェース３９に出力する（Ｓ４４）。
【００４１】
一方、Ｓ３３において後着シーケンス（ｎ）フレームが到着していない場合（Ｓ３３のＮｏ）、フレーム読出部３６は、先着シーケンス（ｎ）フレームが到着してから到着時間差Ｌのｘ倍（ｘは１以上の整数）以上の時間が経過したか否か判定する（Ｓ３８）。経過していない場合（Ｓ３８のＮｏ）、Ｓ３３に戻る。後着シーケンス（ｎ）フレームが到着してから、到着時間差Ｌのｘ倍以上の時間が経過した場合（Ｓ３８のＹｅｓ）、読出系特定部４６は、後着シーケンス（ｎ）フレームは、遅延または欠落と判断し（Ｓ３９）、先着シーケンス（ｎ）フレームの時間差Ｅｎ−１またはＷｎ−１をフレーム出力間隔と特定する（Ｓ４０）。そして、読出系特定部４６は、先着シーケンス（ｎ）フレームを読み出し系に選択する（Ｓ４１）。その後、フレーム読出部３６は、特定したフレーム出力間隔Ｅｎ−１またはＷｎ−１で先着シーケンス（ｎ）フレームをメモリ３７から読み出し、出力フレーム生成部３８に出力する（Ｓ４２）。出力フレーム生成部３８は、先着シーケンス（ｎ）フレームから出力フレームを生成し（Ｓ４３）、ラインインタフェース３９に出力する（Ｓ４４）。
【００４２】
次に、本発明の実施形態に係る無瞬断伝送システム１００の動作について説明する。本実施形態に係る無瞬断伝送システム１００の動作について説明する前に、従来の無瞬断伝送システムの動作の一例を図７（ａ）〜（ｄ）に示す。
【００４３】
図７（ａ）は、送信側通信装置に入力されるデータ（フレーム列）を示す。図７（ｂ）は、ＥＡＳＴ側経路から受信側通信装置に到着するデータ（フレーム列）を示す。図７（ｃ）は、ＷＥＳＴ側経路から受信側通信装置に到着するデータ（フレーム列）を示す。図７（ｄ）は、受信側通信装置から出力されるデータ（フレーム列）を示す。
【００４４】
図７（ａ）〜（ｄ）は、後着シーケンス（１）フレーム（ここではＷＥＳＴ側経路からのフレーム）が到着してからすぐにフレームを出力する方式を採用した無瞬断伝送システムの動作例である。ここで、図７（ｃ）に示すように、後着シーケンス（４）フレームが欠落したとする。この場合、後着シーケンス（４）の到着を所定時間待ち、それでも後着シーケンス（４）フレームが到着しない場合は先着シーケンス（４）フレームを出力する。しかしながら、後着シーケンス（４）の到着を待ったことにより、出力シーケンス（３）フレームと出力シーケンス（４）フレームとの間の出力間隔が、図７（ａ）に示す入力シーケンス（３）フレームと入力シーケンス（４）フレームとの間の入力間隔よりも大きくなっており、揺らぎが発生している。
【００４５】
図８（ａ）〜（ｄ）は、本実施形態に係る無瞬断伝送システム１００の動作の一例を示す。図８（ａ）は、送信側通信装置１０に入力されるデータ（フレーム列）を示す。図８（ｂ）は、ＥＡＳＴ側経路１５から受信側通信装置１２に到着するデータ（フレーム列）を示す。図８（ｃ）は、ＷＥＳＴ側経路１６から受信側通信装置１２に到着するデータ（フレーム列）を示す。図８（ｄ）は、受信側通信装置１２から出力されるデータ（フレーム列）を示す。
【００４６】
本実施形態では、無瞬断切替部３０は、後着シーケンス（１）フレームが到着してからすぐにフレームを出力するのではなく、一定時間（すなわち到着時間差Ｌのｘ倍以上の時間）が経過してからフレームを出力するよう構成されている（図８（ｄ）参照）。これにより、例えば図８（ｃ）に示すようにＷＥＳＴ側経路１６からの後着シーケンス（４）フレームが多少遅延した場合であっても、その遅延分が時間ｘＬにより吸収され、大きな揺らぎの発生を抑制できる。また、出力シーケンス（１）フレーム以降のフレームの出力間隔を、ＥＡＳＴ側経路１５からのフレームの到着時間差と、ＷＥＳＴ側経路１６からのフレームの到着時間差の平均値に設定しているので、出力フレームの間隔を安定させることができ、揺らぎの発生を抑制できる。
【００４７】
図９（ａ）〜（ｄ）は、本実施形態に係る無瞬断伝送システム１００の動作の別の一例を示す。図９（ａ）は、送信側通信装置１０に入力されるデータ（フレーム列）を示す。図９（ｂ）は、ＥＡＳＴ側経路１５から受信側通信装置１２に到着するデータ（フレーム列）を示す。図９（ｃ）は、ＷＥＳＴ側経路１６から受信側通信装置１２に到着するデータ（フレーム列）を示す。図９（ｄ）は、受信側通信装置１２から出力されるデータ（フレーム列）を示す。
【００４８】
本実施形態では、無瞬断切替部３０は、先着シーケンス（ｎ）フレームが到着してから到着時間差Ｌのｘ倍以上の時間が経過しても後着シーケンス（ｎ）フレームが到着しない場合、後着シーケンス（ｎ）フレームは遅延または欠落と判断し、時間差Ｅｎ−１またはＷｎ−１をフレーム出力間隔として先着シーケンス（ｎ）フレームを出力するよう構成されている。これにより、例えば図９（ｃ）に示すようにＷＥＳＴ側経路１６からの後着シーケンス（４）フレームが大きく遅延した場合であっても、ＥＡＳＴ側経路１５からの先着シーケンス（４）フレームが出力間隔Ｅ３で出力されるので、揺らぎの発生を抑制できる。
【００４９】
以上、本発明を実施の形態をもとに説明した。この実施の形態は例示であり、それらの各構成要素や各処理プロセスの組合せによりいろいろな変形例が可能なこと、またそうした変形例も本発明の範囲にあることは当業者に理解されるところである。
【符号の説明】
【００５０】
１０  送信側通信装置、  １２  受信側通信装置、  １５  ＥＡＳＴ側経路、  １６  ＷＥＳＴ側経路、  ２０  ＥＡＳＴ側カード、  ２２  ＷＥＳＴ側カード、  ２４  ＳＷカード、  ３０  無瞬断切替部、  ３１  ＳＷインタフェース、  ３２  受信部特定部、  ３３  ＥＡＳＴ側処理部、  ３４  ＷＥＳＴ側処理部、  ３５  フレーム書込部、  ３６  フレーム読出部、  ３７  メモリ、  ３８  出力フレーム生成部、  ４０，４１  シーケンス番号特定部、  ４２  タイミング管理部、  ４３  時間計測部、  ４４  情報付加部、  ４５  フレーム間隔特定部、  ４６  読出系特定部、  ４７  読出実行部、  １００  無瞬断伝送システム。
【図１】
2014140140.tif 000003
【図２】
2014140140.tif 000004
【図３】
2014140140.tif 000005
【図４】
2014140140.tif 000006
【図５】
2014140140.tif 000007
【図６】
2014140140.tif 000008
【図７】
2014140140.tif 000009
【図８】
2014140140.tif 000010
【図９】
2014140140.tif 000011